(57)【要約】【課題】保管、搬送において気密性が保持でき、かつ軽量で製造コストの安い流動性粒状体用に適用できる断熱ボックスを提供する。【解決手段】容器部１０は、容器底部断熱板と容器底部断熱板の四方を囲む４枚の容器側壁断熱板１１とが互いに接着されて上面開放の箱体が形成され、蓋部３０は容器部１０の開口部と係合する突出部を有する蓋部断熱板で構成されている。開口部を囲む容器側壁断熱板１１の上面に、上面固定用溝形金属部材２１の側壁が断熱板１１の両面を挟持するように取り付けられていて、容器側壁断熱板１１全体を連結しており、容器部１０の上部の変形が生じないので、容器１０に粒状ドライアイスのような流動性粒状体が収納されても、簡単な構成で容器部１０と蓋部３０との間に間隙を生ずることがなく容器部１０と蓋体３０との間の気密性が保持できる。【選択図】図１
2006306422.tif 000002
【特許請求の範囲】
【請求項１】
断熱板で構成される４面の側壁と、断熱板で構成される底部とを１体に組み合わせて構成した上面開放の箱体と、
前記箱体の上面開放部と気密性を保って係合可能な係合面を有し、断熱板で構成される蓋体とを備え、
前記箱体の前記開放部を取り囲む前記側壁の上面には、側壁が前記箱体の側壁の両面を挟持し上壁が前記箱体の側壁の前記上面と接する状態で溝形部材が連続して設けられている、断熱ボックス。
【請求項２】
前記溝形部材はアルミ製部材である、請求項１に記載の断熱ボックス。
【請求項３】
前記溝形部材は溝形に成形された合成樹脂材である、請求項１に記載の断熱ボックス。
【請求項４】
さらに、前記箱体の側壁を構成する４面の断熱板の垂直方向のコーナー部の外部には、それぞれの辺部が前記箱体の前記コーナー部のそれぞれの側壁に接する状態で山形部材が設けられており、隣接するそれぞれのコーナー部に設けられた前記山形部材は平板部材で帯状に接続されている、請求項１から請求項３のいずれか１項に記載の断熱ボックス。
【請求項５】
さらに、前記箱体の底面の周囲にはそれぞれの辺部が前記箱体の側壁と底面とに接する状態で山形部材が連続して設けられている、請求項１から請求項４のいずれか１項に記載の断熱ボックス。
【請求項６】
前記山形部材はアルミ製部材である、請求項４または請求項５に記載の断熱ボックス。
【請求項７】
前記山形部材は山形に成形された合成樹脂材である、請求項４または請求項５に記載の断熱ボックス。
【請求項８】
前記断熱板は合成樹脂から構成される、請求項１から請求項７のいずれか１項に記載の断熱ボックス。
【請求項９】
前記断熱板は、アルミ蒸着シートが箱体組み立て後に内面および接合面となる部分に被覆された合成樹脂から構成される、請求項１から請求項７のいずれか１項に記載の断熱ボックス。
【請求項１０】
前記合成樹脂はポリスチレンである、請求項８または請求項９項に記載の断熱ボックス。
【請求項１１】
前記合成樹脂はポリウレタンである、請求項８または請求項９に記載の断熱ボックス。
【請求項１２】
前記箱体には、外面を覆う取り外し可能な袋状のカバーが取り付けられている、請求項１から請求項１１のいずれか１項に記載の断熱ボックス。
【請求項１３】
前記蓋体には、外面を覆う取り外し可能な袋状のカバーが取り付けられている、請求項１から請求項１２のいずれか１項に記載の断熱ボックス。
【請求項１４】
前記袋状のカバーはポリエステル布縫製品である、請求項１２または請求項１３に記載の断熱ボックス。
【請求項１５】
前記箱体の前記底部の下側にはパレットが取り付けられている、請求項１から請求項１４のいずれか１項に記載の断熱ボックス。
【請求項１６】
前記箱体の前記底部の下側には、方向変換が可能な自在車輪を含む複数の車輪を備えた台座が取り付けられている、請求項１から請求項１４のいずれか１項に記載の断熱ボックス。
【請求項１７】
前記断熱ボックスは、流動性粒状体用の断熱ボックスである、請求項１から請求項１６のいずれか１項に記載の断熱ボックス。
【請求項１８】
収納される流動性粒状体は粒状ドライアイスである、請求項１７に記載の断熱ボックス。
【発明の詳細な説明】
【技術分野】
【０００１】
本発明は断熱ボックスに関し、特に内容物の内圧による変形防止部材が設けられて流動性粒状体用にも適用できる軽量な断熱ボックスに関する。
【背景技術】
【０００２】
従来から、冷凍食品や冷蔵食品などの低温を維持する必要のある食品等は、冷蔵庫や冷凍庫に保存され、輸送には冷凍車が利用されるほか断熱性を有する樹脂発泡体を断熱板とする断熱箱などを用いて保管や輸送が行なわれている。断熱箱としては金属や成形された樹脂材からなる箱体に樹脂発泡体を接合した構成や、ビーズ発泡成形による発泡ポリスチレン製の箱体が用いられていることが多い。これらの断熱箱にはそれぞれ製作に金型や成形機が必要であるとか、製品の表面が傷つきやすいなどの問題があり、これらの問題点に対応できる断熱箱として硬質ポリウレタンスラブフォームから切り出した板状体にポリウレタンエラストマー被膜を形成して組み立てて箱体としてさらにその表面にポリウレタンエラストマー被膜を形成した断熱箱が特許文献１に開示されている。この場合にも内部の収納品から箱体に強い力が加わることは想定されていない。
【０００３】
一方、食品の冷却、冷凍保存等にドライアイスが広く利用されている。気体の二酸化炭素を圧縮液化し、断熱膨張させると気化熱によりその一部が雪状の粉末となる。保存と流通のためにこれを圧縮成形して六面体状のドライアイスブロックの状態で断熱保管され、需要に応じて所望の大きさにスライスされて断熱状態で流通している。この場合は従来の断熱箱を用いて問題がない。
【特許文献１】特開平８−２８２７４３号公報
【発明の開示】
【発明が解決しようとする課題】
【０００４】
近年、食品などの被冷却物をある程度急速に冷却できることから、チョーク状やペレット状の粒状ドライアイスが注目され、比較的小型の装置で塊状のドライアイスから粒状（ペレット状ともいう）ドライアイスを製造する方法も開発されたことから需要地近くでの製造も可能になり、需要が急速に伸びている。この粒状ドライアイスの保管にはその性質上気密を必要とし、従来の断熱箱に気密性を持たせただけで保管や流通を行うと、粒状ドライアイスには流動性があるので接触する断熱箱の側壁を構成する断熱板を外側に押し出し、断熱板の接合部に隙間が生じて気密性が保てないという問題が生じた。
【０００５】
本発明の目的は、保管、搬送において気密性が保持でき、かつ軽量で製造コストの安い流動性粒状体用にも適用できる断熱ボックスを提供することにある。
【課題を解決するための手段】
【０００６】
本発明の断熱ボックスは、
断熱板で構成される４面の側壁と、断熱板で構成される底部とを１体に組み合わせて構成した上面開放の箱体と、箱体の上面開放部と気密性を保って係合可能な係合面を有し、断熱板で構成される蓋体とを備え、箱体の開放部を取り囲む側壁の上面には、側壁が箱体の側壁の両面を挟持し上壁が箱体の側壁の上面と接する状態で溝形部材が連続して設けられている。溝形部材は金属部材であってもよく、溝形に成形された合成樹脂材であってもよい。
【０００７】
さらに、箱体の側壁を構成する４面の断熱板の垂直方向のコーナー部の外部には、それぞれの辺部が箱体のコーナー部のそれぞれの側壁に接する状態で山形部材が設けられており、隣接するそれぞれのコーナー部に設けられた山形部材は平板部材で帯状に接続されていてもよく、さらに、箱体の底面の周囲にはそれぞれの辺部が箱体の側壁と底面とに接する状態で山形部材が連続して設けられていてもよい。ここで、山形部材は金属部材であってもよく、山形に成形された合成樹脂材であってもよい。
【０００８】
断熱板は合成樹脂から構成されてもよく、アルミ蒸着シートが箱体組み立て後に内面および接合面となる部分に被覆された合成樹脂から構成されることが望ましい。合成樹脂はポリスチレンであってもよく、ポリウレタンであってもよい。
【０００９】
箱体には、外面を覆う取り外し可能な袋状のカバーが取り付けられていてもよく、蓋体にも、外面を覆う取り外し可能な袋状のカバーが取り付けられていてもよく、袋状のカバーはポリエステル布縫製品であってもよい。
【００１０】
箱体の底部の下側には、パレットが取り付けられていてもよく、方向変換が可能な自在車輪を含む複数の車輪を備えた台座が取り付けられていてもよい。
【００１１】
断熱ボックスは、流動性粒状体用の断熱ボックスであってもよく、収納される流動性粒状体は粒状ドライアイスであってもよい。
【００１２】
箱体の外面を溝形部材や山形部材や平板部材で補強しているので、箱体の側壁の断熱材の変形が防止でき、内圧がかかっても箱体と蓋体との間の気密が保持できる。
【発明の効果】
【００１３】
本発明は、断熱ボックスの箱体の開放部を取り囲む側壁の上面に、側壁が箱体の側壁の両面を挟持し上壁が箱体の側壁の上面と接する状態で溝形部材が連続して設けられているので流動性を有する粒状体が容器内部に収納されて、側壁に加わる圧力により変形しても、容器の蓋部との係合部は溝形材で補強固定されているので、蓋部との間に隙間を生ずることなく気密性が保持できるという効果がある。また、その補強固定も簡単な材料の組み合わせなので低コストで行うことができるという効果がある。
【発明を実施するための最良の形態】
【００１４】
次に、本発明の実施の形態について図面を参照して説明する。図１は本発明の第１の実施の形態の断熱ボックスのカバーを取り外した状態の斜視図であり、図２は本発明の第１の実施の形態の断熱ボックスの説明用模式的側面図であり、容器部と蓋部とを離した状態を示し、左側部分は断面図、中央部分はカバーが装着された外形図、右側部分はカバーを取り外した外形図である。
【００１５】
本発明の第１の実施の形態の断熱ボックス１は、容器部１０と蓋部３０とから構成される。蓋部３０の下面の突出部は容器部１０の上部の開口に係合し、容器部１０の上面と側面内部において気密を保った状態で係合する。
【００１６】
容器部１０は、容器底部断熱板１２と容器底部断熱板１２の四方を囲む４枚の容器側壁断熱板１１とが互いに接着されて上面開放の箱体が形成されている。箱体の内面となる部分および蓋体３０との接合面にはアルミ蒸着シート１４が被覆されている。アルミ蒸着シート１４は柔軟性があるので容器部１０と蓋部３０との間の気密性を向上させると共に、収容物から容器１０にかかる力を緩和する。容器側壁断熱板１１同士および容器側壁断熱板１１と容器底部断熱板１２との接着は粘着テープ２７により接着が行われているが他の接着方法でもよい。
【００１７】
一方、蓋部３０は容器部１０の開口部と係合する突出部を有する蓋部断熱板３１で構成され、突出部と容器部１０との接合面にはアルミ蒸着シート１４が被覆されている。
【００１８】
ここで、容器側壁断熱板１１と容器底部断熱板１２と蓋部断熱板３１とは、断熱性の高い合成樹脂でできており、本実施の形態ではポリスチレンを想定しているが、ポリウレタンであってもよい。押出法で作られたポリスチレンホ−ムを用いたパネルが商品化されているのでこれを所望の大きさに切断して使用してもよい。
【００１９】
また、アルミ蒸着シート１４は、アルミニウムのような金属蒸着膜を有するポリエステルフィルム、高強度ポリオレフィンフィルムなどの積層品シートが望ましい。
【００２０】
通常の断熱ボックスとして使用する場合はこの構造で十分実用性があり、ドライアイスの保管と流通にも容器部１０と蓋部３０との間に気密性を有しているので使用できるが、粒状ドライアイスの保管と流通に使用すると、粒状ドライアイスには流動性があるために、容器部１０の側壁に荷重がかかって開口部が変形し蓋部３０との間に気密が保持できないという問題が発生する。ここでは収容物を粒状ドライアイスとして説明するが本実施の形態はその他の流動性を有する粒状体に対する容器の補強手段として広く利用できる。
【００２１】
この問題の解決のために本願の第１の実施の形態では、開口部を囲む容器側壁断熱板１１の上面に、上面固定用溝形金属部材２１の側壁が断熱板１１の両面を挟時するように取り付けられていて、容器側壁断熱板１１全体を連結している。連結の方法は上面固定用溝形金属部材２１と蓋部３０との間に気密性が保持できる方法であればよいが、例えば上面固定用溝形金属部材２１の連結部を互いに切断面が密着するように斜めに切断し、内側に平板部材である溝形金属部材連結板２２を当てて溝形金属部材連結板２２とそれぞれの上面固定用溝形金属部材２１を固定してもよい。この上面固定用溝形金属部材２１が蓋部３０との接触面となるので気密が保持され、容器側壁断熱板１１の変形が抑制される。
【００２２】
しかし、断熱ボックスが大型となると容器部１０の側壁に加わる粒状ドライアイスの圧力が大きくなるので上面固定用溝形金属部材２１内部での容器側壁断熱板１１の変形が大きくなり上面固定用溝形金属部材２１と容器側壁断熱板１１との間に空隙を生ずる可能性があるので、側壁の上部の固定のみでは気密保持に不安を生ずる。その場合には図１に示すように容器側壁断熱板１１の垂直方向の中央部の容器側壁断熱板１１のコーナーの部分に中央部固定用山形金属部材２３を取り付け、４個の中央部固定用山形金属部材２３を中央部固定平板２４で連結することによって容器側壁断熱板１１の中央部における変形が防止され、上面固定用溝形金属部材２１と容器側壁断熱板１１との間に空隙を生ずる可能性は減少する。
【００２３】
さらに、容器部１０の容器側壁断熱板１１の底部に、それぞれの辺部が容器側壁断熱板１１の側面と下面に接触するように底部固定用山形金属部材２５を設けて底部固定用山形金属部材２５を一体に連結すれば容器部の剛性はより高まる。
【００２４】
図１、図２には上部、中央部、ならびに底部に固定部材が設けられた状態が記載されているが、通常の状態では上部の固定のみで十分であり、容器の大きさや使用状態に対応して中央部ならびに底部の固定を設ければよい。中央部ならびに底部の固定部材を設けることにより、外部からの衝撃や荷重に対する耐性も向上する。図１、図２のように中央部の固定部材と底部の固定部材とをそれぞれ設けてもよいが、中央部の固定部材と底部の固定部材とを連結して一体としてもよい。
【００２５】
実施例として、外寸がＷ１０８０×Ｄ８８０×Ｈ８１５、内寸がＷ９００×Ｄ７００×Ｈ６３５で収容量４００Ｌの粒状ドライアイス用の断熱ボックスを製作し、容器側壁断熱板の上面を幅９０ｍｍの溝形アルミ部材で固定したところ、内容物による変形の影響が見られなかった。しかし、輸送などを含めた色々な取扱を考慮すると中央部ならびに底部の補強を行うとなお安全である。
【００２６】
これまで、補強部材を溝形金属部材、山形金属部材、平板として説明してきたが、材料は鋼製でもよいが重量面でアルミ製が望ましい。求められる強度を有する溝形や山形あるいは平板に成型された合成樹脂部材であってもよい。合成樹脂の方が金属材よりも熱伝導率が低いので保冷目的では結露も少なく有利な面がある。
【００２７】
容器部１０にはその外側に全体を保護するための容器用カバー４１が取り外し可能に設けられている。容器用カバー４１は容器部１０を保護するためのものであり、帆布で袋状に作られて内部の断熱板を保護している。また、蓋部３０にもその外側に全体を保護するための帆布で袋状に作られた蓋用カバー４２が設けられている。ここでは軽量な点から帆布としているが材料はこれに限定されるものではない。容器部１０や蓋部３０への取り付けはカバー開口部近傍に設けられた取付金具を用いるが、マジックテープを用いてもよい。このカバーはなくても断熱ボックスとしての目的は達成できるが内部の保護と外見の面からカバーがあることが望ましい。
【００２８】
次に、本発明の第２の実施の形態の断熱ボックスについて説明する。図３は本発明の第２の実施の形態の断熱ボックスの説明用模式的側面図であり、容器部と蓋部とパレットを離した状態を示し、左側部分は断面図、中央部分はカバーが装着された外形図、右側部分はカバーを取り外した外形図である。第２の実施の形態では、第１の実施の形態の断熱ボックス１にフォークリフト作業に対応できるようにパレット５０を設けた形態となっている。断熱ボックスの本体は第１の実施の形態の断熱ボックス１と同じなので同じ符号を付して説明を省略する。
【００２９】
断熱ボックス本体にはパレット５０が底面に取り付けられて、断熱ボックス２が形成されている。図３ではパレット５０が断熱ボックス本体に、両方に設けられたマジックテープ５１で結合されている。これは、断熱ボックス本体からパレット部５０を取り外してそのままでも断熱ボックスとして利用でき、必要に応じてフォークリフトを使用して流通用の断熱ボックスとしても利用できるようにするためであり、取り外す必要がなければ他の固定手段で恒常的に固定できるようにしてもよい。
【００３０】
次に、本発明の第３の実施の形態の断熱ボックスについて説明する。図４は本発明の第３の実施の形態の断熱ボックスの説明用模式的側面図であり、容器部と蓋部と台車を離した状態を示し、左側部分は断面図、中央部分はカバーが装着された外形図、右側部分はカバーを取り外した外形図である。第３の実施に形態の断熱ボックス３では第１の実施の形態の断熱ボックス１に作業場での移動が可能なように車輪付きの台車６０を設けた形態となっている。断熱ボックス本体は第１の実施の形態の断熱ボックス１と同じなので同じ符号を付して説明を省略する。
【００３１】
断熱ボックス本体には４個の車輪６１、６２を有する台車６０が底面に固定されて断熱ボックス３が形成されている。図３では２個の車輪が固定車輪６１、２個の車輪が自在車輪６２となっているが、４個とも自在車輪６２となっていてもよく、車輪も４個に限定されるものではない。台車に設けられた複数の車輪はその一部あるいは全部が支持軸を中心に旋回回転となっており、任意の方向への移動が可能となっている。
【００３２】
図４では台車６０が断熱ボックス本体に、両方に設けられたマジックテープ５１で結合されている。これは、断熱ボックス本体を台車６０から取り外して、例えば保管の用途ではそのままでも断熱ボックスとして利用でき、必要に応じて台車６０を取り付ければ作業所内で移動可能としたものであり、取り外し可能な取り付け手段はマジックテープ５１に限定されるものではなく、取り外しの必要がなければ他の固定手段で恒常的に固定できるようにしてもよい。
【図面の簡単な説明】
【００３３】
【図１】本発明の第１の実施の形態の断熱ボックスのカバーを取り外した状態の斜視図である。
【図２】本発明の第１の実施の形態の断熱ボックスの説明用模式的側面図であり、容器部と蓋部とを離した状態を示し、左側部分は断面図、中央部分はカバーが装着された外形図、右側部分はカバーを取り外した外形図である。
【図３】本発明の第２の実施の形態の断熱ボックスの説明用模式的側面図であり、容器部と蓋部とパレットを離した状態を示し、左側部分は断面図、中央部分はカバーが装着された外形図、右側部分はカバーを取り外した外形図である。
【図４】本発明の第３の実施の形態の断熱ボックスの説明用模式的側面図であり、容器部と蓋部と台車を離した状態を示し、左側部分は断面図、中央部分はカバーが装着された外形図、右側部分はカバーを取り外した外形図である。
【符号の説明】
【００３４】
１、２、３    断熱ボックス
１０    容器部
１１    容器側壁断熱板
１２    容器底部断熱板
１４    アルミ蒸着シート
２１    上面固定用溝形金属部材
２２    溝形金属部材連結板
２３    中央部固定用山形金属部材
２４    中央部固定用平板
２５    底部固定用山形金属部材
２７    粘着テープ
３０    蓋部
３１    蓋部断熱板
４１    容器用カバー
４２    蓋用カバー
５０    パレット
５１    マジックテープ
６０    台車
６１    固定車輪
６２    自在車輪
【図１】
2006306422.tif 000003
【図２】
2006306422.tif 000004
【図３】
2006306422.tif 000005
【図４】
2006306422.tif 000006